(57)【要約】【課題】交換レンズのような被梱包物を包装する緩衝部材において、レンズキャップと被梱包物の摺動による摺動粉が発生せず、また被梱包物の外径が異なった場合でも同じ緩衝部材を使用することができ、さらに被梱包物を緩衝材に収納しやすくすること。【解決手段】包装用緩衝部材は、被梱包物の収納方向に対して直角方向にスリット（溝部）を設け、前記スリット部は緩衝部材の両端面に対して設けられ、さらに前記緩衝部材が変形可能なスペースを確保する溝部を形成するようにした。【選択図】図２
2017145001.tif 000002
【特許請求の範囲】
【請求項１】
梱包箱に被梱包物を収納する際に、両側から前記被梱包物を保持する包装用緩衝部材において、前記包装用緩衝部材の少なくとも一方の緩衝部材は、前記被梱包物の外周面と隙間を有した内壁と前記被梱包物の端面を保持する面を有しかつ、
前記被梱包物の収納方向に対して直角方向にスリット（溝部）を設け、前記スリット部は緩衝部材の両端面に対して設けられ、さらに前記緩衝部材が変形可能なスペースを確保する溝部を形成したことを特徴とする包装用緩衝部材。
【請求項２】
前記包装用緩衝部材は、前記スリット部を前後、左右の４箇所に設けたことを特徴とする請求項１に記載の包装用緩衝部材。
【請求項３】
前記スリット部は、Ｖ溝形状で形成したことを特徴とする請求項１に記載の包装用緩衝部材。
【発明の詳細な説明】
【技術分野】
【０００１】
本発明は、包装用緩衝部材に関するもので、特に交換レンズを包装する際の緩衝部材に関する。
【背景技術】
【０００２】
従来、梱包箱に交換レンズのような円筒状の被梱包物を収納する場合、交換レンズの上部と下部に一対の緩衝部材を使用している。緩衝部材は、緩衝性能に優れた発泡プラスチックをしている場合が多い。
【０００３】
交換レンズの上端部と下端部に勘合するように上部包装用緩衝部材と下部包装用緩衝部材が配置されており、上部緩衝部材と下部緩衝部材が輸送時の落下衝撃にたいして変形することで、交換レンズに衝撃が加わらないように構成されている（特許文献１参照）。
【先行技術文献】
【特許文献】
【０００４】
【特許文献１】特開２０１２−３０８７７号公報
【発明の概要】
【発明が解決しようとする課題】
【０００５】
しかしながら、上記のような包装用緩衝部材は、交換レンズの外径サイズが異なると勘合する形状が異なるので、緩衝部材を何種類も用意する必要があった。
【０００６】
また、交換レンズに合わせた包装用緩衝部材であっても交換レンズの外径公差を考慮するため、勘合に対して一定の隙間を確保する必要があり、交換レンズと緩衝部材にはガタ（隙間）が発生していた。
【０００７】
また、交換レンズは、レンズ面にレンズキャップが装着されており、レンズキャップは緩衝部材と接触しているが、本体は、上述のようにガタ（隙間）があるため緩衝部材とは接触していない状態になっていた。
【０００８】
このような状態で輸送時の振動がかかると、緩衝部材とレンズキャップは同じ挙動を示すが、本体は緩衝部材と接触していないため異なった振動の挙動となり、結果として本体とレンズキャップの間でこすれが発生し、摺動粉が本体のレンズ面に付着するという課題があった。
【０００９】
上述の摺動粉が発生しないようにするため、交換レンズと緩衝部材の隙間に発泡シートやエアーパッキン等の緩衝シートを追加するように構成する場合があった。
【００１０】
このように構成した場合、衝撃シートにより隙間がなくなってしまい、交換レンズを収納する際、緩衝部材に圧入するように収納する必要があり、梱包時の作業性が良くないという問題があった。
【課題を解決するための手段】
【００１１】
上記の課題を解決するために、本発明に係る包装用緩衝部材は、
梱包箱に被梱包物を収納する際に、両側から前記被梱包物を保持する包装用緩衝部材において、前記包装用緩衝部材の少なくとも一方の緩衝部材は、前記被梱包物の外周面と隙間を有した内壁と前記被梱包物の端面を保持する面を有しかつ、前記被梱包物の収納方向に対して直角方向にスリット（溝部）を設け、前記スリット部は緩衝部材の両端面に対して設けられ、さらに前記緩衝部材が変形可能なスペースを確保する溝部を形成したことを特徴とする。
【００１２】
さらに、本発明に係る包装用緩衝部材は、
前記包装用緩衝部材は、前記スリット部を前後、左右の４箇所に設けたことを特徴とする。
【００１３】
さらに、本発明に係る包装用緩衝部材は、
前記スリット部は、Ｖ溝形状で形成したことを特徴とする。
【発明の効果】
【００１４】
本発明に係る包装用緩衝部材によれば、交換レンズのような被梱包物を包装する緩衝部材において、緩衝部材に設けたスリット部により緩衝部材が変形し、レンズキャップと交換レンズ本体を一体で保持できるようにしたので、輸送時の振動による摺動粉は発生せず、良好な緩衝性能を実現できる。また、外径が異なった交換レンズに対しても、緩衝部材が変形して保持することが可能である。また、交換レンズを梱包する前には、交換レンズ本体と緩衝部材との間に隙間が確保されているので、交換レンズを梱包箱へ収納する際に良好な作業性が得られる。
【図面の簡単な説明】
【００１５】
【図１】本発明の第１の実施例の包装用緩衝部材を用いた交換レンズの梱包箱への収納状態を説明するための斜視図である。
【図２】本発明の第１の実施例の包装用緩衝部材の外観斜視図（上面図、下面図）である。
【図３】本発明の第１の実施例の包装用緩衝部材を梱包箱にセットした状態の断面図である。
【図４】本発明の第２の実施例の包装用緩衝部材の外観斜視図（上面図、下面図）である。
【発明を実施するための形態】
【００１６】
以下、本発明の実施の形態について図面を参照して説明する。
【実施例１】
【００１７】
図１は本発明の第１の実施例の包装用緩衝部材を用いた交換レンズの梱包箱への収納状態を説明するための斜視図である。
【００１８】
交換レンズ１は、レンズの前玉を保護するためのレンズキャップ２とレンズの後玉を保護するためのダストキャップ３を装着した状態で包装される。
【００１９】
ダストキャップ３は使用状態において交換レンズ１から外されるので、交換レンズ１に対して着脱性能よりも固定性能を重視するので、回転することでしっかり固定できるように構成されている（不図示）。
【００２０】
また、レンズキャップ２は使用先で着脱がおこなわれるため着脱性能を重視し、ロック爪（不図示）で交換レンズ１にワンタッチで着脱可能に構成されている。このとき、レンズキャップ２は交換レンズ１に対して回動可能な状態になっている。
【００２１】
上述のようにダストキャップ２とレンズキャップ３を取り付けた交換レンズ１は、収納袋３０に包装された状態で、梱包箱４０にセットされた下面側の包装用緩衝部材２０に対して上方から収納される。さらに、交換レンズ１を収納した後、上面側の包装用緩衝部材１０を上方からセットし、梱包箱４０の上蓋４１を閉じることで包装作業が完了する。
【００２２】
図２は本発明の第１の実施例の包装用緩衝部材の外観斜視図（上面図、下面図）である。
【００２３】
図１で説明した下面側の緩衝部材２０は、本特許の特長である上面側のスリット部２１と下面側のスリット部２２を有している。また、下面側に同様に本特許の特長である変形スペース用溝部２３を有している。
【００２４】
緩衝部材２０に交換レンズ１をセットすると、交換レンズ１は緩衝部材２０の受け面２０ｂに接触し、交換レンズ１から荷重を受ける。この交換レンズ１からの荷重については図３で説明する（後述）。
【００２５】
交換レンズ１からの荷重によって、スリット部２１、２２を有した緩衝部材２０は、Ａ方向（図中）に変形し、この変形に伴い緩衝部材２０の被梱包物保持部２０ｃが交換レンズ１に接触し、側面側から交換レンズ１を保持するようになる。
【００２６】
また、Ａ方向に変形することにより、緩衝部材２０の下面側ではＢ方向（図中）に変形するので、変形するスペースを確保するため、前述の変形スペース用溝部２３を有している。
【００２７】
次に、実際の梱包箱に交換レンズをセットした状態で、緩衝部材２０の状態を説明する。
【００２８】
図３は本発明の第１の実施例の包装用緩衝部材を梱包箱にセットした状態の断面図である。
【００２９】
図２で説明した下面側の緩衝部材２０が変形した状態を２０ａで図示している。梱包箱４０の高さは、上蓋４１を閉じると、上面側の緩衝部材１０に圧力が加わるようにあらかじめ短めに設定されている。上面側の緩衝部材１０に加わった圧力は、矢印Ｃ（図中）の方向に交換レンズ１にかかり交換レンズ１の下面側の緩衝部材２０の受け面２０ｂに対してＤ方向（図中）に荷重が加わる。
【００３０】
Ｄ方向に加わった荷重により緩衝部材２０は、２０ａのように変形するので、Ｅ方向（図中）に変形することを利用して、緩衝部材２０の側面保持部２０ｃが交換レンズ１に接触しかつ交換レンズ１の側面側を保持するようになる。
【００３１】
以上のように緩衝部材２０が変形し、交換レンズ１はレンズキャップ２を緩衝部材の２０ｂで、本体の側面を緩衝部材の２０ｃで保持することになるので、梱包時の振動をかけても、同じ緩衝部材で保持しているので交換レンズ本体１とレンズキャップ２の間で挙動のズレ発生せず、摺動粉が発生することはない。
【００３２】
また、交換レンズ１を緩衝部材２０にセットする前は、本体側面と緩衝部材の間に隙間が確保されているので、外径が異なった交換レンズにも対応可能になる。
【００３３】
また、交換レンズを梱包箱へ収納する際に、あらかじめ隙間が確保されているので梱包時に良好な作業性が得られる。
【００３４】
また、図２でも説明したが、緩衝部材２０には前述の変形スペース用溝部２３を有することにより、緩衝部材２０が２０ａのように変形しても梱包箱４０の下面側に接触しないように構成されているので梱包箱４０の変形は発生しない。
【実施例２】
【００３５】
第２の実施例である梱包用緩衝部について説明する。
【００３６】
図４は本発明の第２の実施例の包装用緩衝部材の外観斜視図（上面図、下面図）である。
【００３７】
第１の実施例の下面側の緩衝部材２０は、上面側のスリット部２１と下面側のスリット部２２を有していたが、第２の実施例である緩衝部材５０は、上面側に前後スリット部５１と左右スリット部５２を有し、下面側に前後スリット部５３と左右スリット部５４を有している。
【００３８】
このように緩衝部材を構成することで荷重がかかったとき、Ｆ方向（図中）に変形するようになる。
【００３９】
Ｆ方向に変形した緩衝部材５０は、交換レンズ１に対し前後、左右の側面側から保持することが可能となり、交換レンズ１の保持性能が向上する。
【００４０】
以上のように構成することで、被梱包物に対してより保持性能が向上し、良好な包装用緩衝部材を提供することができる。
【００４１】
また、上述のスリット部２１、２２、５１、５２、５３、５４は、Ｖ形の形状（不図示）でも同様の効果を得ることが可能である。
【符号の説明】
【００４２】
１  交換レンズ（被梱包物）、２  レンズキャップ、３  ダストキャップ、
１０  上面側の包装用緩衝部材、２０  下面側の包装用緩衝部材、
２０ａ  変形した下面側の包装用緩衝部材、
２０ｂ下面側の包装用緩衝部材の被梱包物に対する受け面、
２０ｃ下面側の包装用緩衝部材の被梱包物側面の保持部、２１  上面スリット部、
２２  下面スリット部、２３  変形スペース用溝部、３０  収納袋、４０  梱包箱、
５０  第２の実施例の包装用緩衝部材、５１  上面の前後スリット部、
５２  上面の左右スリット部、５３  下面の前後スリット部、
５４  下面の左右スリット部
【図１】
2017145001.tif 000003
【図２】
2017145001.tif 000004
【図３】
2017145001.tif 000005
【図４】
2017145001.tif 000006